(57)【特許請求の範囲】
【請求項１】
左右の支柱と、上桟と下桟とを有する複数のパネル体とを備え、左右の支柱間にパネル体を積み上げており、パネル体の上桟及び下桟の少なくとも一方には見込み方向の通風部が形成してあることを特徴とする壁面体。
【請求項２】
左右の縦枠及び上下の横枠で枠組みした枠体と、上桟と下桟とを有する複数のパネル体とを備え、枠体内にパネル体を積み上げており、パネル体の上桟及び下桟の少なくとも一方には見込み方向の通風部が形成してあることを特徴とする壁面体。
【請求項３】
パネル体の上桟及び下桟の少なくとも一方は、横桟本体と、横桟本体の下方に空間をあけて配置した横桟補助材とを有し、横桟本体と横桟補助材との間の空間を通風部としてあることを特徴とする請求項１又は２に記載の壁面体。
【請求項４】
最上に位置するパネル体は、その上桟の横桟本体の上面にカバーを取付けてあることを特徴とする請求項１〜３のいずれか一項に請求項１に記載の壁面体。
【請求項５】
左右の支柱の上部には横架材が設けてあり、最上に位置するパネル体はその上桟の横桟本体の上面にカバーを取付けてあり、その上面カバーと横架材との間に空間を形成していることを特徴とする請求項１に記載の壁面体。
【請求項６】
通風部は見込み方向に沿った傾斜部を有し且つ開口側ほど上下の間隔を広くしていることを特徴とする請求項３に記載の壁面体。
【請求項７】
横桟本体と横桟補助材とは、各々通風部の見込み方向中間部に水平部を有し、横桟本体と横桟補助材との各水平部間にスペーサを固定してあることを特徴とする請求項３又は６に記載の壁面体。
【発明の詳細な説明】
【技術分野】
【０００１】
本発明は、フェンスや屋外に設置される間仕切り等の壁面体に関する。
【背景技術】
【０００２】
左右の支柱間にパネル体を積み上げて設置される壁面体があるが、この種の壁面体において、通風を確保したいという要求がある。
かかる要求に対して、特許文献１には、パネル体の左右端にスペーサを取付け、パネル体の左右端をスペーサと共に中空の支柱に呑み込ませて配置することが開示されている。
【先行技術文献】
【特許文献】
【０００３】
【特許文献１】特開２００１−２９５５１０
【発明の概要】
【発明が解決しようとする課題】
【０００４】
しかし、特許文献１の技術は、パネル体にスペーサを取付ける必要があるので、施工に手間がかかるという問題がある。
また、支柱にスペーサを呑み込ませてスペーサを隠す必要があるので、支柱の形状が制約される為、支柱の意匠の自由度が制限されるという問題がある。
【０００５】
そこで、本発明は、施工が容易で且つ支柱の意匠の自由度が高い壁面体の提供を目的とする。
【課題を解決するための手段】
【０００６】
請求項１に記載の発明は、左右の支柱と、上桟と下桟とを有する複数のパネル体とを備え、左右の支柱間にパネル体を積み上げており、パネル体の上桟及び下桟の少なくとも一方には見込み方向の通風部が形成してあることを特徴とする。
【０００７】
請求項２に記載の発明は、左右の縦枠及び上下の横枠で枠組みした枠体と、上桟と下桟とを有する複数のパネル体とを備え、枠体内にパネル体を積み上げており、パネル体の上桟及び下桟の少なくとも一方には見込み方向の通風部が形成してあることを特徴とする。
【０００８】
請求項３に記載の発明は、請求項１又は２に記載の発明において、パネル体の上桟及び下桟の少なくとも一方は、横桟本体と、横桟本体の下方に空間をあけて配置した横桟補助材とを有し、横桟本体と横桟補助材との間の空間を通風部としてあることを特徴とする。
【０００９】
請求項４に記載の発明は、請求項１〜３のいずれか一項に記載の発明において、最上に位置するパネル体は、その上桟の横桟本体の上面にカバーを取付けてあることを特徴とする。
【００１０】
請求項５に記載の発明は、請求項１に記載の発明において、左右の支柱の上部には横架材が設けてあり、最上に位置するパネル体はその上桟の横桟本体の上面にカバーを取付けてあり、その上面カバーと横架材との間に空間を形成していることを特徴とする。
【００１１】
請求項６に記載の発明は、請求項３に記載の発明において、通風部は見込み方向に沿った傾斜部を有し且つ開口側ほど上下の間隔を広くしていることを特徴とする。
【００１２】
請求項７に記載の発明は、請求項３又は６に記載の発明において、横桟本体と横桟補助材とは、各々通風部の見込み方向中間部に水平部を有し、横桟本体と横桟補助材との各水平部間にスペーサを固定してあることを特徴とする。
【発明の効果】
【００１３】
請求項１に記載の発明によれば、パネル体の上桟及び下桟の少なくとも一方には、通風部が形成されているから、支柱間にパネル体を積み上げるだけで、通風部を有する壁面体が施工できるので、施工が容易である。
従来技術のように、支柱内にスペーサを呑み込ませる必要がないので、支柱の形状が制約を受けることがなく、支柱の意匠の自由度が高い。
【００１４】
請求項２に記載の発明によれば、パネル体の上桟及び下桟の少なくとも一方には、通風部が形成されているから、枠体内にパネル体を積み上げるだけで、通風部を有する壁面体が施工できるので、施工が容易である。
パネル体は支柱間に積上げていないので、支柱の位置や形状に制限なく施工できる。例えば、壁面体の上下の横枠には任意の位置に支柱を固定できるので、支柱の位置に制約がなく施工できる。
左右の縦枠及び上下の横枠で四周を枠組みして、強度のある枠体にパネル体を積上げているから、組立て易い。
【００１５】
請求項３に記載の発明によれば、請求項１又は２に記載の作用効果を奏すると共に、横桟本体と横桟補助材とにより、横桟の長手方向に全体に亘って通風部を形成できるので、通風効率が良い。
【００１６】
請求項４に記載の発明によれば、請求項１〜３のいずれか一項に記載の作用効果を奏すると共に、上桟に別体のカバーを取付けているので、上桟の仕上げ品質が要求されなくて済み、パネル体の製造や搬送がし易い。
【００１７】
請求項５に記載の発明によれば、請求項１に記載の作用効果を奏すると共に、支柱間に横架材を設けることで壁面体全体の強度を向上させることができる。
上桟に別体のカバーを取付けているので、上桟の仕上げ品質が要求されなくて済み、パネル体の製造や搬送がし易い。
最上に位置するパネル体の上面カバーと横架材との間に空間を形成することにより、横桟及び下桟の少なくとも一方に設けた通風部のほかにより大きな通風空間を確保できる。
【００１８】
請求項６に記載の発明によれば、請求項３に記載の作用効果を奏すると共に、通風部が見込み方向の傾斜部を有しているので、壁面体の見込み方向一方側から他方側を見通し難くできる。
通風部は、開口側ほど上下の間隔を広くしているので、壁面体の上下方向の収まり寸法を小さくしつつ風の取り込み量を多くすることができ、風通効率が良い。
【００１９】
請求項７に記載の発明によれば、請求項３又は６に記載の作用効果を奏すると共に、スペーサにより横桟本体と横桟補助材との間の通風空間を確保することができる。
スペーサは横桟本体と横桟補助材との各水平部に固定しているので、安定に固定できる。
【図面の簡単な説明】
【００２０】
【図１】第１実施の形態を示し、（ａ）は図３のＣ―Ｃ断面図、（ｂ）は（ａ）に示すＡ部の拡大図、（ｃ）は（ａ）に示すＢ部の拡大図である。
【図２】第１実施の形態を示し、図３のＤ―Ｄ断面図である。
【図３】第１実施の形態にかかる壁面体の正面図である。
【図４】第２実施の形態を示し、図５のＥ―Ｅ断面図である。
【図５】第２実施の形態にかかる壁面体の正面図である。
【図６】第３実施の形態を示し、図６のＦ―Ｆ断面図である。
【図７】第３実施の形態にかかる壁面体の正面図である。
【図８】第４実施の形態にかかる壁面体の正面図である。
【図９】第５実施の形態にかかる壁面体を道路側から見た正面図である。
【図１０】第５実施の形態にかかる壁面体であって、図９に示すＭ−Ｍ断面図である。
【図１１】本発明の通風部の変形例を示す縦断面図である。
【発明を実施するための形態】
【００２１】
以下に、添付図面の図１〜図３を参照して本発明の第１実施の形態を説明する。本実施の形態にかかる壁面体１は、フェンスである。
図３に示すように、壁面体１は、左右の支柱３、３と、複数のパネル体５を備えており、パネル体５は左右の支柱３間に積み上げて固定されている。左右の柱３、３の上端間には横架材７が架設されており、最上にあるパネル体５と横架材７との間に空間９を形成している。
図２に示すように、左右の支柱３、３には、互いに対向する面に各々竪桟補助材１１がねじ固定してある。
【００２２】
図１に示すように、パネル体５は、パネル１７と、上桟１９と、下桟２１と、左右の竪桟１３、１３（図２参照）とを備えており、パネル１７の周囲を上桟１９、下桟２１及び竪桟１３、１３で囲んでいる。また、上桟１９と下桟２１との間には中骨２３を固定してある。
パネル１７は、採光パネルであり、光を透過する樹脂材製である。
上桟１９は、横桟本体２５と、横桟本体２５の下方に空間をあけて配置した横桟補助材２７とを備えており、横桟本体２５と横桟補助材２７との間の空間をパネル体５の見込み方向に風を通す通風部２９としてある。
【００２３】
図１（ｃ）に示すように、横桟本体２５には一方側係止部３１と他方側係止部３３とが形成されており、上に位置するパネル体５の下桟２１に形成されている一方側被係止部３５と他方側被係止部３７が係止している。一方側係止部３１及び一方側被係止部３５と、他方側係止部３３及び他方側被係止部３７は、嵌合により係止してある。
横桟補助材２７には、中骨２３の上端がねじ固定されており、中骨の一方側にパネル１７の上端が固定されている。
横桟本体２５の下面は見込み方向中間部に平坦な水平部４１を有し、横桟補助材２７の上面も見込み方向中間部に横桟本体２５の水平部４１と平行な水平部４３が形成されている。そして、横桟本体２５の水平部４１と横桟補助材２７の水平部４３との間にスペーサ４４が固定されている。
【００２４】
通風部２９は、一方側の開口２９ａから見込み方向中間部２９ｂに向けて中間部２９ｂ側を上に向けて傾斜しており、中間部２９ｂから他方側の開口２９ｃを下に向けて傾斜している。
通風部２９は、図１（ｂ）に示すように、一方側の開口２９ａにおける上下方向の間隔Ｗ１及び他方側の開口２９ｂにおける上下方向の間隔Ｗ２を、各々中間部２９ｂにおける上下方向の間隔Ｗ３よりも広くしている。
【００２５】
図１（ｂ）に示すように、最上に位置するパネル体５は、その上桟１９の横桟本体２５の上面にカバー４５を取付けている。
カバー４５には、横桟本体２５の一方側係止部３１に係止する一方側被係止部４７と、他方側係止３３に係止する他方側被係止部４９とが形成されており、これらの被係止部４７、４９は各々上述した下桟２１に形成された被係止部３５、３７と同じ形状となっており、下桟２１と同様に横桟本体２５に嵌合してカバー４５を取付けてある。
図１（ａ）に示すように、支柱３、３間の下部には下桟補助材１６が固定してあり、最下に位置するパネル体５の下桟２１は下桟補助材１６に嵌合してある。
【００２６】
図２に示すように、パネル１７は上桟１９と下桟２１との間においては、一方側に寄せて配置してあり、下桟２１の上面は、家側（他方側）を広くしてあり、例えばフラワーボックスや鉢等を載置可能にしてある。
パネル体５の左右の竪桟１３は、竪桟補助材１１及び支柱３、３に家側から斜めに止めるねじ１２で固定されている。竪桟１３を固定するねじ１２は目板１５で隠してある。
尚、竪桟１３の道路側は竪桟補助材１１の面部１１ａで覆っている。また、図１（ａ）に示すように、竪桟１３の上端には、キャップ５１を取付けてある。
【００２７】
次に、本実施の形態にかかる壁面体１の施工、作用効果について説明する。
壁面体１の施工は、図２に示すように、左右の支柱３、３の対向面に各々竪桟補助材１１をねじ固定する。また、左右の支柱３、３の下部に下桟補強材１６を固定し、上端に横架材７を固定する。
次に、左右の支柱３、３間の下部に最下のパネル体５を配置し、その下桟を下桟補強材１６に嵌合し、パネル体５の左右の竪桟１３、１３を家側（他方側）から止めるねじ１２で竪桟補助材１１及び支柱３に固定する。
次に、そのパネル体５の上に順次パネル体５を積み上げて固定するが、上パネル体５の積み上げは、上パネル体５の上桟１９を家側に向けて傾斜させ、上パネル体５の下桟２１にある被係止部３７を、下パネル体５の上桟本体２５の他方側係止部３３に係合して、上パネル体５の上桟１９を道路側（一方側）に向けて回転させるように上パネル体５を立ち上げることにより、一方側係止部３１に一方側被係止部３５が係止し、下パネル体５の上桟１９に上パネル体５の下桟２１を係止する。そして、パネル体５の竪桟１３、１３を家側（他方側）から止めるねじ１２で竪桟補助材１１及び支柱３に固定する。
このようにしてパネル体５を順次積み上げて最上のパネル体５を、竪桟補助材１１、１１及び支柱３，３に固定した後、竪桟１３の家側（他方側）に目板１５を嵌め、最上のパネル体５の上桟本体２５にカバー４５を被せると共に、竪桟１３、１３の上端にもカバー５１を被せる。
【００２８】
本実施の形態によれば、パネル体５の上桟１９には、通風部２９が形成されているから、支柱３、３間にパネル体５を積み上げるだけで、通風部２９を有する壁面体１が施工できるので、施工が容易である。
また、従来技術のように支柱３内にスペーサを呑み込ませる必要がないので、支柱３の形状が制約を受けることがなく、支柱３の意匠の自由度が高い。
横桟本体２５と横桟補助材２７とにより、上桟１９の長手方向に全体に亘って通風部２９を形成できるので、通風効率が良い。
最上に位置するパネル体５には横桟本体２５に別体のカバー４５を取付けており、それ以外のパネル体５の横桟本体２５には上に位置するパネル体５の下桟２１を取付けているので、各パネル体５において、横桟本体２５上面の仕上げ品質が要求されなくて済み、パネル体５の製造や搬送がし易い。
支柱３、３間に横架材７を設けることで壁面体１全体の強度を向上させることができる。
更に、支柱３、３間に横架材７を取付けて支柱３、３間の強度を高めた後に、パネル体５を順次取付けているので、施工し易い。
上パネル体５の下桟２１を下パネル体５の上桟本体２５に回転により嵌合させて取付けているので、上からパネル体５を落とし込まなくて済むから最上パネル体と横架材７との間にほとんど空間がない場合でも容易に施工できる。更に、家側のみから施工ができ、道路側からの作業を不要にできる。
また、最上に位置するパネル体５の上面カバー４５と横架材７との間に空間９を形成することにより、上桟１９に設けた通風部２９のほかにより大きな通風空間を確保できる。
横桟本体２５と横桟補助材２７をスペーサ４４で固定して通風部２９を形成しているので、パネル体５を組付けるときに、横桟本体２５と横桟補助材２７とを一緒にして竪桟１３に固定できると共に竪桟１３に対する横桟本体２５と横桟補助材２７との位置合わせが容易である。
【００２９】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
【００３０】
図４及び図５を参照して、本発明の第２実施の形態にかかる壁面体１を説明する。この第２実施の形態では、パネル１７が目隠しパネルであり、パネル１７としてアルミニウム製の複数の形材１７Ａを連結して用いている。パネル１７は、図４に示すように、形材１７Ａを上下に複数配置して、各形材１７Ａの上端に形成されている係合部５３に上の形材の下端に形成されている被係合部５５を係合してある。
尚、パネル１７と中骨２３との間にはスペーサ５６が設けてあり、パネル１７と中骨２３とのメタルタッチを防止している。このスペーサ５６は道路側から中骨２３に取付けてある。
また、第２実施の形態では、最上のパネル体５と横架材７との間に第１実施の形態のような空間９がなく、最上のパネル体５のカバー４５と横架材７との間にスペーサ５７を介在してある。
【００３１】
この第２実施の形態では、最上のパネル体５のカバー４５と横架材７との間に第１実施の形態における空間９がないので、上桟１９に設けた通風部２９のほかにより大きな通風空間を確保できるという効果を除いて、第１実施の形態と同様な作用効果を得ることができる。
更に、第２実施の形態では、パネル１７は目隠しパネルであるから、家側を道路側から遮蔽して見えなくすることができる。
【００３２】
図６及び図７を参照して、本発明の第３実施の形態にかかる壁面体１を説明する。この第３実施の形態では、第２実施の形態にかかる壁面体１において、上下の形材１７Ａを互いに間隔をあけて配置してあり、最上のパネル体５と横架材７との間には第１実施の形態と同様な空間９を形成している。
【００３３】
この第３実施の形態によれば、第１実施の形態と同様の作用効果を奏することができると共に、パネル１７を構成する形材１７Ａは上下に間隔をあけて配置しているので、形材１７Ａ、１７Ａ間においても通風を得ることができる。
【００３４】
図８を参照して、本発明の第４実施の形態にかかる壁面体１を説明する。第４実施の形態にかかる壁面体１は、第１実施の形態における下側のパネル体５として第２実施の形態にかかる目隠し用のパネル体５を用い、上側のパネル体５として第１実施の形態にかかる採光性のパネル体５を用いている。
【００３５】
この第４実施の形態によれば、第１実施の形態と同様な作用効果を奏すると共に、異なる種類のパネル体５を組み合わせて用いることにより、種々のバリエーションの壁面体１を容易に施工できる。
【００３６】
図９及び図１０を参照して、本発明の第５実施の形態にかかる壁面体１を説明する。この第５実施の形態にかかる壁面体１は、壁面ユニット７１を左右に複数並べて連結し、壁面ユニット７１を家側に設けた支柱３に固定している。
壁面ユニット７１は、上横枠６１、下横枠６３及び左右の縦枠６５、６７により枠組した枠体６９の内周側にパネル体５を積上げて壁面ユニット７１を組立ててある。また、壁面体ユニット７１は上下の横枠６１、６３を支柱３に固定している。
枠体６９の内周へのパネル体５の取付けは、第１実施の形態と同様にして取付けている。
【００３７】
この第５実施の形態によれば、第１実施例と同様に、パネル体５の上桟１９には、通風部２９が形成されているから、枠体６９内にパネル体５を積み上げるだけで、通風部２９を有する壁面体１が施工できるので、施工が容易である。
左右の縦枠６５、６７及び上下の横枠６１、６３で四周を枠組みした枠体６９内にパネル体５を積上げているから、強度のある枠体６９内にパネル体５を積上げることができ、組立て易い。
横桟本体２５と横桟補助材２７とにより、上桟１９の長手方向に全体に亘って通風部２９を形成できるので、通風効率が良い。
横桟本体２５と横桟補助材２７をスペーサ４４で固定して通風部２９を形成しているので、パネル体５を組付けるときに、横桟本体２５と横桟補助材２７とを一緒にして竪桟１３に固定できると共に竪桟１３に対する横桟本体２５と横桟補助材２７との位置合わせが容易である。
更に、第５実施の形態によれば、壁面ユニット７１を工場等で施工し、施工現場で複数の支柱３を立設し、各支柱３に壁面ユニット７１を固定することができるので、施工現場での施工が容易である。
壁面ユニット７１を工場で組立てる場合に、上パネル体５の下桟２１を下パネル体５の上桟本体２５に回転により嵌合させて取付けているので、上下の横枠６１、６３及び左右の縦枠６５、６７により枠組みした枠体６９内にパネル体５を取付けできるから、組み立てスペースを大きくとらないで容易に組立てできる。
支柱３は枠体６９の上下の横枠６１、６３に固定しており、第１実施の形態と比較して支柱３の立設位置がパネル体５の見付け寸法の位置に限らないから支柱３の立設位置に制約がなく、施工の自由度が高い。また、支柱３、３間にパネル５を積上げていないので、支柱３の形状にも制限なく施工できる。
【００３８】
本発明は、上述した実施の形態に限らず、本発明の要旨を逸脱しない範囲で種々変形可能である。
例えば、図８に示す壁面体１においては、下側のパネル体５に第３実施の形態にかかるパネル体５を用いたり、上側のパネル体５に第２実施の形態にかかるパネル体５を用いても良く、パネル体５の組み合わせは任意である。また、上側や下側のパネル体５にルーバを備えたパネル体を用いても良い。
パネル体５に形成する通風部２９は、上桟１９に形成することに限らず、下桟２１に形成しても良いし、上桟１９と下桟２１との両方に形成しても良い。
パネル体５に形成される通風部２９の形状は、図１１の（ａ）に示すように、他方側が高くなるように一方側から他方側へ傾斜するものであっても良いし、（ｂ）に示すように、略Ｖ字を形成するように一方側から通風部２９の中間部２９ｂへ向けて低くなるように傾斜し、中間部２９ｂから他方側へ向けて高くなるように傾斜するものであっても良い。更に、図１１の（ｃ）に示すように、通風部２９は円弧状を成すものであっても良く、通風部２９の形状は限定されない。
壁面体１は面一に施工することに限らず、左右に隣り合うパネル体５を直角に配置したり、所定の角度を形成するものであっても良い。
壁面体１は、フェンスに限らず、屋外に設置する間仕切り等であっても良い。
壁面体１は、テラスの側壁であっても良い。
第１〜第４実施の形態において、支柱３、３間には、横架材７を架設しないでも良い。
第５実施の形態において、壁面体１は支柱３に固定することなく、例えば、フェンスの壁面に設けた空間に配置してフェンスの壁面に固定するものであっても良い。
【符号の説明】
【００３９】
１    壁面体
３    支柱
５    パネル体
７    横架材
９    空間
１３  竪桟
１７  パネル
１９  上桟（横桟）
２１  下桟
２５  横桟本体
２７  横桟補助材
２９  通風部
４５  カバー
【図１】
0005684009.tif 000002
【図２】
0005684009.tif 000003
【図３】
0005684009.tif 000004
【図４】
0005684009.tif 000005
【図５】
0005684009.tif 000006
【図６】
0005684009.tif 000007
【図７】
0005684009.tif 000008
【図８】
0005684009.tif 000009
【図９】
0005684009.tif 000010
【図１０】
0005684009.tif 000011
【図１１】
0005684009.tif 000012